(57)【要約】 【課題】  夜間や暗がりでも電源電池を駆動させることなく発光する電子体温計の提供。【解決手段】  本発明の電子体温計は、体温情報を電気信号に変換する測温体部と、電気信号から体温を求める測定演算部と、測定演算部で求めた体温を表示する表示部と、各部に電力を供給する電池とからなる電子体温計であって、プラスチックの中空体からなる筐体内に測定演算部、表示部、および電池を備え、さらに筐体は、少なくともその表面に蓄光材料を含むことを特徴とする。【選択図】  図１
2008191030.tif 000002
【特許請求の範囲】
【請求項１】
体温情報を電気信号に変換する測温体部と、該電気信号から体温を求める測定演算部と、該測定演算部で求めた体温を表示する表示部と、前記各部に電力を供給する電池とからなる電子体温計であって、プラスチックの中空体からなる筐体内に前記測定演算部、前記表示部、および前記電池を備え、
さらに前記筐体は、少なくともその表面に蓄光材料を含むことを特徴とする電子体温計。
【請求項２】
前記蓄光材料は、２３℃の温度下で光照射停止１２０分後の残光輝度Ｙ２３℃、１２０ｍｉｎが少なくとも０．００７Ｃｄ／ｍ２であって、８０℃の温度下で光照射停止１０分後の残光輝度Ｙ８０℃と２３℃の温度下で光照射停止１０分後の残光輝度Ｙ２３℃との比Ｙ８０℃／Ｙ２３℃で表される残光輝度の温度特性（ＴＤ）が少なくとも１であることを特徴とするユーロピウム賦活アルカリ土類金属アルミン酸塩系蓄光材料 であることを特徴とする請求項１記載の電子体温計 。
【請求項３】
前記蓄光材料は、アルカリ金属及びホウ素を含有し、ホウ素の含有量がアルカリ土類金属に対して３〜５０モル％であることを特徴とする請求項１記載の電子体温計 。
【請求項４】
前記蓄光材料は、基材としての前記筐体の表面に残光性上絵具を絵付けし、焼成することにより形成したものであり、前記残光性上絵具は、少なくともＣａＯ、ＭｇＯ、ＺｎＯを含む無鉛フリットに対し、式（Ｍ1-p-q Ｅｕp Ｑq ）Ｏ・ｎ（Ａｌ1-m Ｂm ）２ Ｏ３（式中、０．０００１≦ｐ≦０．５、０．０００１≦ｑ≦０．５、１．５≦ｎ≦３．０、０≦ｍ≦０．５、ＭはＭｇ、Ｃａ、Ｓｒ、Ｂａ及びＺｎからなる群より選ばれた少なくとも１種の２価金属であり、ＱはＭｎ、Ｚｒ、Ｎｂ、Ｐｒ、Ｎｄ、Ｇｄ、Ｔｂ、Ｄｙ、Ｈｏ、Ｅｒ、Ｔｍ、Ｙｂ及びＬｕからなる群より選ばれた少なくとも１種の共付活剤である）で示される残光性蛍光体を混合して加熱し、得られた色ガラス状の溶融物を粉砕することにより形成したものであることを特徴とする請求項１記載の電子体温計。
【請求項５】
前記蓄光材料は、一般式 Ｍ・Ｎy ・Ａｌ2-x Ｂx Ｏ4〔式中、Ｍはアルカリ土類金属を表し、Ｎは稀土類元素を表し、１≧ｘ≧０．１、ｙは０又は１である。〕で表される単斜晶系の結晶体からなることを特徴とする請求項１に記載の電子体温計。
【発明の詳細な説明】
【技術分野】
【０００１】
本発明は、電子体温計に関するものである。
【背景技術】
【０００２】
従来の電子体温計においては、夜間に体温測定を行なう場合、体温表示部をバックライトで照明することが提案されている（特許文献１：特許第３１４２９５９号公報）。
【特許文献１】特許第３１４２９５９号公報
【発明の開示】
【発明が解決しようとする課題】
【０００３】
しかしながらこのような電子体温計においては、筐体またはケース本体が夜間や暗がりで発光するものではなく、急な発熱の時に夜間や暗がりで体温を行なうために電子体温計がどこにあるか探すのが容易でなく、また確実に測定部位に装着されているかどうかを確認するためにはわざわざ照明器具，懐中電灯などで照明することが必要である。
【０００４】
本発明は、上記問題点に鑑みなされたものであり、夜間や暗がりでも電源電池を駆動させることなく発光する電子体温計を提供することを目的としている。
【課題を解決するための手段】
【０００５】
上記目的を達成するために、本発明の電子体温計は、体温情報を電気信号に変換する測温体部と、電気信号から体温を求める測定演算部と、測定演算部で求めた体温を表示する表示部と、各部に電力を供給する電池とからなる電子体温計であって、プラスチックの中空体からなる筐体内に測定演算部、表示部、および電池を備え、さらに筐体は、少なくともその表面に蓄光材料を含むことを特徴とする 。また、蓄光材料は、２３℃の温度下で光照射停止１２０分後の残光輝度Ｙ２３℃、１２０ｍｉｎが少なくとも０．００７Ｃｄ／ｍ２であって、８０℃の温度下で光照射停止１０分後の残光輝度Ｙ８０℃と２３℃の温度下で光照射停止１０分後の残光輝度Ｙ２３℃との比Ｙ８０℃／Ｙ２３℃で表される残光輝度の温度特性（ＴＤ）が少なくとも１であることを特徴とするユーロピウム賦活アルカリ土類金属アルミン酸塩系蓄光材料であることを特徴とする。また、蓄光材料は、アルカリ金属及びホウ素を含有し、ホウ素の含有量がアルカリ土類金属に対して３〜５０モル％であることを特徴とする。また、蓄光材料は、基材としての筐体の表面に残光性上絵具を絵付けし、焼成することにより形成したものであり、残光性上絵具は、少なくともＣａＯ、ＭｇＯ、ＺｎＯを含む無鉛フリットに対し、式（Ｍ1-p-q Ｅｕp Ｑq ）Ｏ・ｎ（Ａｌ1-m Ｂm ）２ Ｏ３（式中、０．０００１≦ｐ≦０．５、０．０００１≦ｑ≦０．５、１．５≦ｎ≦３．０、０≦ｍ≦０．５、ＭはＭｇ、Ｃａ、Ｓｒ、Ｂａ及びＺｎからなる群より選ばれた少なくとも１種の２価金属であり、ＱはＭｎ、Ｚｒ、Ｎｂ、Ｐｒ、Ｎｄ、Ｇｄ、Ｔｂ、Ｄｙ、Ｈｏ、Ｅｒ、Ｔｍ、Ｙｂ及びＬｕからなる群より選ばれた少なくとも１種の共付活剤である）で示される残光性蛍光体を混合して加熱し、得られた色ガラス状の溶融物を粉砕することにより形成したものであることを特徴とする。また、蓄光材料 は、一般式 Ｍ・Ｎy ・Ａｌ2-x Ｂx Ｏ4〔式中、Ｍはアルカリ土類金属を表し、Ｎは稀土類元素を表し、１≧ｘ≧０．１、ｙは０又は１である。〕で表される単斜晶系の結晶体からなることを特徴とするもので、特にＭがストロンチウム、Ｎがユウロピウムのときが好ましい。またＭで表されるストロンチウムの一部分がＭｇ，ＣａあるいはＢａの群から選ばれる少なくとも１種類のアルカリ土類金属で置換し得る。更にＭとＮとの組合せたものが高輝度となる。
【発明の効果】
【０００６】
本発明によれば、夜間や暗がりでも電源電池を常時駆動することなく発光するので、急な発熱の時に夜間や暗がりで体温を行なうために電子体温計がどこにあるか探すことが容易で、また測定部位に確実に装着されているかどうかを容易に確認できる電子体温計を提供できる。
【発明を実施するための最良の形態】
【０００７】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００８】
（実施例）
＜電子体温計の構成＞
図１は、本実施形態の電子体温計１００の外観を示す図で、図１（ａ）は、平面図、図１（ｂ）は、側面図である。
【０００９】
２は、本体ケース（筐体）で、後述する演算制御部２０等の電子回路、ブザー３１、電池(電源部)４０等が収納されている。３は、ステンレス製の金属キャップで、体温測定に必要なサーミスタ１３(図２参照)等を含む温度計測部を接着剤で固定して収納している。本体ケース２と金属キャップ３は接着剤（不図示）を介して液密に接合・固定されている。
【００１０】
こうして、金属キャップ３は、サーミスタ１３を外部の衝撃等から保護し、サーミスタ１３に体温（温度）を伝熱する。金属キャップ３は、外径約３ｍｍ，厚さ約０．２，ｍｍ，全長約８ｍｍ，重量２４０〜２５０ｇで、本体ケース（筐体）２の先端部での接合部の長さは、３．５ｍｍ〜５ｍｍ程度となっている。サーミスタ１３を内蔵した金属キャツプ３を含む感熱部は、熱容量が０．１Ｊ／℃程度に低減されている。
【００１１】
この本体ケース（筐体）２は、スチレン系樹脂（ハイインパクトスチロール，ＡＢＳ樹脂）、ポリオレフィン系樹脂（ポリプロピレン，ポリエチレン）等で形成されて、表示部３０を覆う透明の窓部２ｄとは好ましくは二色成形で樹脂部品として形成されている。窓部２ｄは、透明樹脂であるポリスチレン、ブタジエン・スチレン共重合体等のスチレン系樹脂；ポリ−２−メチルペンテン、ポリプロピレン等のポリオレフィン系樹脂；ポリメチルメタクリレート等のアクリル系樹脂；セルロースアセテート等のセルロースエステル；ポリエチレンテレフタレート等のポリエステル等から形成される。本体ケース（筐体）２の金属キャップ３の反対側には電源ＯＮ／ＯＦＦスイッチ４が設けられている。
【００１２】
本体ケース（筐体）２の表面は、蓄光材料を含む樹脂が３〜５０μｍの厚さで被覆されている。蓄光材料は、２３℃の温度下で光照射停止１２０分後の残光輝度Ｙ２３℃、１２０ｍｉｎが少なくとも０．００７Ｃｄ／ｍ２であって、８０℃の温度下で光照射停止１０分後の残光輝度Ｙ８０℃と２３℃の温度下で光照射停止１０分後の残光輝度Ｙ２３℃との比Ｙ８０℃／Ｙ２３℃で表される残光輝度の温度特性（ＴＤ）が少なくとも１であることを特徴とするユーロピウム賦活アルカリ土類金属アルミン酸塩系蓄光材料であることを特徴とする。また、蓄光材料は、アルカリ金属及びホウ素を含有し、ホウ素の含有量がアルカリ土類金属に対して３〜５０モル％であることを特徴とする。また、蓄光材料は、基材としての筐体の表面に残光性上絵具を絵付けし、焼成することにより形成したものであり、残光性上絵具は、少なくともＣａＯ、ＭｇＯ、ＺｎＯを含む無鉛フリットに対し、式（Ｍ1-p-q Ｅｕp Ｑq ）Ｏ・ｎ（Ａｌ1-m Ｂm ）２ Ｏ３（式中、０．０００１≦ｐ≦０．５、０．０００１≦ｑ≦０．５、１．５≦ｎ≦３．０、０≦ｍ≦０．５、ＭはＭｇ、Ｃａ、Ｓｒ、Ｂａ及びＺｎからなる群より選ばれた少なくとも１種の２価金属であり、ＱはＭｎ、Ｚｒ、Ｎｂ、Ｐｒ、Ｎｄ、Ｇｄ、Ｔｂ、Ｄｙ、Ｈｏ、Ｅｒ、Ｔｍ、Ｙｂ及びＬｕからなる群より選ばれた少なくとも１種の共付活剤である）で示される残光性蛍光体を混合して加熱し、得られた色ガラス状の溶融物を粉砕することにより形成したものであることを特徴とする。また、蓄光材料 は、一般式 Ｍ・Ｎy ・Ａｌ2-x Ｂx Ｏ4〔式中、Ｍはアルカリ土類金属を表し、Ｎは稀土類元素を表し、１≧ｘ≧０．１、ｙは０又は１である。〕で表される単斜晶系の結晶体からなることを特徴とするもので、特にＭがストロンチウム、Ｎがユウロピウムのときが好ましい。またＭで表されるストロンチウムの一部分がＭｇ，ＣａあるいはＢａの群から選ばれる少なくとも１種類のアルカリ土類金属で置換し得る。更にＭとＮとの組合せたものが高輝度となる。
【００１３】
一方、本体ケース（筐体）２を構成する樹脂に蓄光材料を直接含有させて形成してもよい。この場合、樹脂の成形性を考慮して、スチレン系樹脂（ハイインパクトスチロール，ＡＢＳ樹脂）、ポリオレフィン系樹脂（ポリプロピレン，ポリエチレン）等の樹脂１００重量部に対して、０．５〜５重量部の蓄光材料を用いる。０．５重量部を下回ると蓄光性能が低下し、重量部を越えると成形性が低下する。蓄光材料は、２３℃の温度下で光照射停止１２０分後の残光輝度Ｙ２３℃、１２０ｍｉｎが少なくとも０．００７Ｃｄ／ｍ２であって、８０℃の温度下で光照射停止１０分後の残光輝度Ｙ８０℃と２３℃の温度下で光照射停止１０分後の残光輝度Ｙ２３℃との比Ｙ８０℃／Ｙ２３℃で表される残光輝度の温度特性（ＴＤ）が少なくとも１であることを特徴とするユーロピウム賦活アルカリ土類金属アルミン酸塩系蓄光材料であることを特徴とする。また、蓄光材料は、アルカリ金属及びホウ素を含有し、ホウ素の含有量がアルカリ土類金属に対して３〜５０モル％であることを特徴とする。また、蓄光材料は、基材としての筐体の表面に残光性上絵具を絵付けし、焼成することにより形成したものであり、残光性上絵具は、少なくともＣａＯ、ＭｇＯ、ＺｎＯを含む無鉛フリットに対し、式（Ｍ1-p-q Ｅｕp Ｑq ）Ｏ・ｎ（Ａｌ1-m Ｂm ）２ Ｏ３（式中、０．０００１≦ｐ≦０．５、０．０００１≦ｑ≦０．５、１．５≦ｎ≦３．０、０≦ｍ≦０．５、ＭはＭｇ、Ｃａ、Ｓｒ、Ｂａ及びＺｎからなる群より選ばれた少なくとも１種の２価金属であり、ＱはＭｎ、Ｚｒ、Ｎｂ、Ｐｒ、Ｎｄ、Ｇｄ、Ｔｂ、Ｄｙ、Ｈｏ、Ｅｒ、Ｔｍ、Ｙｂ及びＬｕからなる群より選ばれた少なくとも１種の共付活剤である）で示される残光性蛍光体を混合して加熱し、得られた色ガラス状の溶融物を粉砕することにより形成したものであることを特徴とする。また、蓄光材料 は、一般式 Ｍ・Ｎy ・Ａｌ2-x Ｂx Ｏ4〔式中、Ｍはアルカリ土類金属を表し、Ｎは稀土類元素を表し、１≧ｘ≧０．１、ｙは０又は１である。〕で表される単斜晶系の結晶体からなることを特徴とするもので、特にＭがストロンチウム、Ｎがユウロピウムのときが好ましい。またＭで表されるストロンチウムの一部分がＭｇ，ＣａあるいはＢａの群から選ばれる少なくとも１種類のアルカリ土類金属で置換し得る。更にＭとＮとの組合せたものが高輝度となる。
【００１４】
図２は本実施例の電子体温計１００の構成を示す内部ブロック図である。電子体温計１００は、温度を計測しそれをデジタル値として出力する温度計測部１０と、計測された温度から予測温度を演算すると共に電子体温計１００を制御する演算制御部２０と測定結果を表示する、バックライト用のＬＥＤ３０ｃを備えた表示部３０とから構成される。
【００１５】
温度計測部１０は、並列に接続された感温部に設置されたサーミスタ１３及びコンデンサ１４と、測温用ＣＲ発振回路１１とから成り、サーミスタ１３の温度に対応するカウンタ１６のカウント量の変化に従い、温度をデジタル量として出力する。なお、温度計測部１０の構成は一例であって、これに限定するものではない。
【００１６】
演算制御部２０は、体温測定に必要なパラメータを格納したＥＥＰＲＯＭ２２ａ、計測温度を時系列で記憶するためのＲＡＭ２３、予測式などのプログラムを格納したＲＯＭ２２、表示部３０を制御するための表示制御部３０ｄ、測温用ＣＲ発振回路１１の発振信号をカウントするカウンタ１６、ＲＯＭ２２のプログラムに従いＥＥＰＲＯＭ２２ａに書かれた条件で演算を行なう演算処理部２１、カウンタ１６，演算処理部２１，表示制御部３０ｄを制御する制御回路５０とからなる。
【００１７】
さらに、本実施形態に特徴的な部分として、サーミスタ１３およびその周辺部の熱容量は従来の予測型電子体温計に比較し非常に小さくなっており、熱応答特性が良くなるよう構成されていることが挙げられる。ここで、周辺部の熱容量としては、サーミスタ１３を覆い体の測定部位に接する金属キャップ３や、金属キャップ３とサーミスタ１３との接着材などの熱容量が含まれる。
【図面の簡単な説明】
【００１８】
【図１】実施例に係る電子体温計である。
【図２】実施例に係る電子体温計の内部ブロック図である。
【符号の説明】
【００１９】
２  本体ケース、３  金属キャップ、４  電源スイッチ、１００  電子体温計
【図１】
2008191030.tif 000003
【図２】
2008191030.tif 000004